(57)【要約】  ムラ補正をガンマ補正よりも後段で行う場合に、コストアップや製造時間の増加を抑制しつつ表示パネルの個体ごとの特性に合わせたムラ補正を行うことができるムラ補正システムを提供する。  本発明に係るムラ補正システム（１）は、入力インターフェース（６）に入力された画像信号についてガンマ補正するガンマ補正回路（８）と、ガンマ補正されたガンマ補正信号をガンマ補正情報として取得するガンマ補正情報取得回路（９）と、ガンマ補正信号を補正データに基づいてムラ補正するムラ補正回路（１０）と、ガンマ補正情報を外部に出力する出力インターフェース（１２）とが設けられたパネル駆動回路（４）と、所定の画像の画像信号を入力インターフェース（６）に出力するパターンジェネレータ（１３）と、その画像信号について出力インターフェース（１２）からガンマ補正情報読取部（１４）に入力されて読み取られた個体ごとのガンマ補正情報に基づいて補正データを生成する制御部（１６）とが設けられたムラ補正装置（５）とを備える。
2018116337.tif 000002
【特許請求の範囲】
【請求項１】
画像信号が入力される画像信号入力部と、前記画像信号入力部に入力された画像信号又は前記画像信号入力部に入力された画像信号を画像処理した画像処理信号を所定のガンマ特性を有するようにガンマ補正するガンマ補正手段と、前記ガンマ補正手段でガンマ補正されたガンマ補正信号を読み取り、前記ガンマ補正信号又は前記ガンマ補正信号を前記画像信号入力部に入力された画像信号と対比した結果をガンマ補正情報として取得するガンマ補正情報取得手段と、前記ガンマ補正信号に対し、表示パネルのムラを低減させる補正データに基づいてムラ補正を行うムラ補正手段と、前記ムラ補正手段でムラ補正されたムラ補正信号をＤ／Ａ変換して前記表示パネルに出力するＤ／Ａ変換手段と、前記ガンマ補正情報取得手段で取得されたガンマ補正情報を外部に出力するガンマ補正情報出力部とが設けられたパネル駆動回路と、  前記パネル駆動回路に接続され、所定の画像の画像信号を原画像信号として前記画像信号入力部に出力する画像信号出力部と、前記原画像信号について前記ガンマ補正情報出力部が出力するガンマ補正情報が入力されるガンマ補正情報入力部と、前記ガンマ補正情報入力部に入力されたガンマ補正情報に基づいて前記補正データを生成する補正データ生成手段とが設けられたムラ補正装置とを備えることを特徴とするムラ補正システム。
【請求項２】
画像信号が入力される画像信号入力部と、前記画像信号入力部に入力された画像信号又は前記画像信号入力部に入力された画像信号を画像処理した画像処理信号を所定のガンマ特性を有するようにガンマ補正するガンマ補正手段と、前記ガンマ補正手段でガンマ補正されたガンマ補正信号を読み取り、前記ガンマ補正信号又は前記ガンマ補正信号を前記画像信号入力部に入力された画像信号と対比した結果をガンマ補正情報として取得するガンマ補正情報取得手段と、前記ガンマ補正信号に対し、表示パネルのムラを低減させる補正データに基づいてムラ補正を行うムラ補正手段と、前記ムラ補正手段でムラ補正されたムラ補正信号をＤ／Ａ変換して前記表示パネルに出力するＤ／Ａ変換手段と、前記ガンマ補正情報取得手段で取得されたガンマ補正情報を外部に出力するガンマ補正情報出力部とが設けられたパネル駆動回路に接続され、  所定の画像の画像信号を原画像信号として前記画像信号入力部に出力する画像信号出力部と、  前記原画像信号について前記ガンマ補正情報出力部が出力する前記ガンマ補正情報が入力されるガンマ補正情報入力部と、前記ガンマ補正情報入力部に入力されたガンマ補正情報に基づいて前記補正データを生成する補正データ生成手段とを備えることを特徴とするムラ補正装置。
【請求項３】
画像信号が入力される画像信号入力部と、  前記画像信号入力部に入力された画像信号又は前記画像信号入力部に入力された画像信号を画像処理した画像処理信号を所定のガンマ特性を有するようにガンマ補正するガンマ補正手段と、  前記ガンマ補正手段でガンマ補正されたガンマ補正信号を読み取り、前記ガンマ補正信号又は前記ガンマ補正信号を前記画像信号入力部に入力された画像信号と対比した結果をガンマ補正情報として取得するガンマ補正情報取得手段と、  前記ガンマ補正信号に対し、表示パネルのムラを低減させる補正データに基づいてムラ補正を行うムラ補正手段と、  前記ムラ補正手段でムラ補正されたムラ補正信号をＤ／Ａ変換して前記表示パネルに出力するＤ／Ａ変換手段とを備え、  前記補正データが、前記ガンマ補正情報に基づいて生成されることを特徴とするパネル駆動回路。
【発明の詳細な説明】
【技術分野】
【０００１】  本発明は、表示パネルのムラ補正用の補正データを生成するムラ補正装置、表示パネルに組み込まれて補正データに基づくムラ補正を行うパネル駆動回路、及び、それらにより構成されるムラ補正システムに関する。
【背景技術】
【０００２】  液晶パネルや有機ＥＬパネル等の表示パネルのパネル駆動回路（半導体集積回路）には、一般に、表示パネルの個体ごとの特性に合わせてガンマ特性（ガンマ値）を設定するためのガンマ補正回路が含まれている。また、パネル駆動回路において、ハードウェアレベルで生じる輝度ムラや色ムラを、表示パネルの領域ごと又はピクセルごとに原画像に対してムラの逆相のデータを重畳して補正するためのムラ補正回路を含むものがある。【０００３】  ガンマ補正回路とムラ補正回路とを備えるパネル駆動回路において、ムラ補正回路がガンマ補正回路よりも前段にある（外部からの入力に対して先に処理を行う）場合には、ムラ補正回路の出力に対する表示パネルの輝度特性は、パネル駆動回路（特にガンマ補正回路）と表示パネルとを組み合わせたパネルモジュールの製品仕様として既知（一般に、ムラ補正の実施前にガンマ補正回路は調整されて所定のガンマ特性となるようにパラメータが決定され、製品の個体差が抑止されている。）であるから、それを利用してムラ補正回路におけるムラ補正を行うことができる。例えば、パネルモジュールの製品仕様として、入力に対するパネルの輝度特性がγ（ガンマ値）＝２．２の曲線特性となっていれば、入力デジタル値の変化（ｄＶ）に対する輝度の変化（ｄＬ）を示す微分値（ｄＬ／ｄＶ）が決定されるので、ムラ補正回路はその微分値を前提に補正データを計算し、ムラ補正を行えばよい。【０００４】  ただし、一度設定したガンマ特性（ガンマ値）以外のガンマ特性で表示を得たい場合、例えば、明るい屋外で視認しやすい表示を得るためにガンマ特性を変更したい場合には、ガンマ補正回路の設定を変更しなければならないが、このとき、ムラ補正は変更後のガンマ特性に合わせた補正データを生成した上で行う必要が生じ、ムラ補正のアルゴリズムが複雑化するという問題があった。【０００５】  これに対し、特許文献１に記載されているように、色むら補正実行部（ムラ補正回路）がガンマ補正実行部（ガンマ補正回路）よりも後段にある（外部からの入力に対して後に処理を行う）場合には、ガンマ補正回路の設定が変更されても、ムラ補正回路が補正ターゲットとするムラ補正回路よりも後段の回路ブロックのガンマ特性は変わらないから、ガンマ補正回路の設定が変更される前と同一のアルゴリズムによってムラ補正を行うことが可能となる。
【先行技術文献】
【特許文献】
【０００６】
【特許文献１】特開２０１６−１０９８４０号公報
【発明の概要】
【発明が解決しようとする課題】
【０００７】  しかしながら、ムラ補正回路がガンマ補正回路よりも後段にある場合には、ムラ補正回路の出力に対する表示パネルの輝度特性がパネルモジュールの製品仕様として定まらず、表示パネルの個体ごとに異なることになり、その個体ごとの特性に合わせたムラ補正が必要となる。もし表示パネルの個体ごとの特性が不明なまま、その特性を考慮することなく補正データを生成すると、ムラ補正が正しく行えなくなる。【０００８】  一方、表示パネルの個体ごとの特性を把握するために、ムラ補正の工程でその特性を輝度計やカメラ等を用いて光学的に測定することは考えられるが、ムラ補正の工程以前に表示パネルの個体ごとの特性を測定し、ガンマテーブルのパラメータを決定する工程が一般的に存在するので二度手間になり、コストアップ、製造時間の増加を招来して好ましくない。【０００９】  本発明は、上記の事情に鑑みてなされたもので、ムラ補正をガンマ補正よりも後段で行う場合に、コストアップや製造時間の増加を抑制しつつ表示パネルの個体ごとの特性に合わせたムラ補正を行うことができるムラ補正システムと、これを構成するムラ補正装置及びパネル駆動回路を提供することを課題としている。
【課題を解決するための手段】
【００１０】  上記課題を解決するために、本発明に係るムラ補正システムは、画像信号が入力される画像信号入力部と、前記画像信号入力部に入力された画像信号又は前記画像信号入力部に入力された画像信号を画像処理した画像処理信号を所定のガンマ特性を有するようにガンマ補正するガンマ補正手段と、前記ガンマ補正手段でガンマ補正されたガンマ補正信号を読み取り、前記ガンマ補正信号又は前記ガンマ補正信号を前記画像信号入力部に入力された画像信号と対比した結果をガンマ補正情報として取得するガンマ補正情報取得手段と、前記ガンマ補正信号に対し、表示パネルのムラを低減させる補正データに基づいてムラ補正を行うムラ補正手段と、前記ムラ補正手段でムラ補正されたムラ補正信号をＤ／Ａ変換して前記表示パネルに出力するＤ／Ａ変換手段と、前記ガンマ補正情報取得手段で取得されたガンマ補正情報を外部に出力するガンマ補正情報出力部とが設けられたパネル駆動回路と、前記パネル駆動回路に接続され、所定の画像の画像信号を原画像信号として前記画像信号入力部に出力する画像信号出力部と、前記原画像信号について前記ガンマ補正情報出力部が出力するガンマ補正情報が入力されるガンマ補正情報入力部と、前記ガンマ補正情報入力部に入力されたガンマ補正情報に基づいて前記補正データを生成する補正データ生成手段とが設けられたムラ補正装置とを備えることを特徴とする。【００１１】  本発明に係るムラ補正装置は、画像信号が入力される画像信号入力部と、前記画像信号入力部に入力された画像信号又は前記画像信号入力部に入力された画像信号を画像処理した画像処理信号を所定のガンマ特性を有するようにガンマ補正するガンマ補正手段と、前記ガンマ補正手段でガンマ補正されたガンマ補正信号を読み取り、前記ガンマ補正信号又は前記ガンマ補正信号を前記画像信号入力部に入力された画像信号と対比した結果をガンマ補正情報として取得するガンマ補正情報取得手段と、前記ガンマ補正信号に対し、表示パネルのムラを低減させる補正データに基づいてムラ補正を行うムラ補正手段と、前記ムラ補正手段でムラ補正されたムラ補正信号をＤ／Ａ変換して前記表示パネルに出力するＤ／Ａ変換手段と、前記ガンマ補正情報取得手段で取得されたガンマ補正情報を外部に出力するガンマ補正情報出力部とが設けられたパネル駆動回路に接続され、所定の画像の画像信号を原画像信号として前記画像信号入力部に出力する画像信号出力部と、前記原画像信号について前記ガンマ補正情報出力部が出力する前記ガンマ補正情報が入力されるガンマ補正情報入力部と、前記ガンマ補正情報入力部に入力されたガンマ補正情報に基づいて前記補正データを生成する補正データ生成手段とを備えることを特徴とする。【００１２】  本発明に係るパネル駆動回路は、画像信号が入力される画像信号入力部と、前記画像信号入力部に入力された画像信号又は前記画像信号入力部に入力された画像信号を画像処理した画像処理信号を所定のガンマ特性を有するようにガンマ補正するガンマ補正手段と、前記ガンマ補正手段でガンマ補正されたガンマ補正信号を読み取り、前記ガンマ補正信号又は前記ガンマ補正信号を前記画像信号入力部に入力された画像信号と対比した結果をガンマ補正情報として取得するガンマ補正情報取得手段と、前記ガンマ補正信号に対し、表示パネルのムラを低減させる補正データに基づいてムラ補正を行うムラ補正手段と、前記ムラ補正手段でムラ補正されたムラ補正信号をＤ／Ａ変換して前記表示パネルに出力するＤ／Ａ変換手段とを備え、前記補正データが、前記ガンマ補正情報に基づいて生成されることを特徴とする。
【発明の効果】
【００１３】  本発明に係るムラ補正システム、ムラ補正装置又はパネル駆動回路によれば、ガンマ補正手段でガンマ補正されたガンマ補正信号に対し、ムラ補正手段がムラ補正用の補正データに基づいてムラ補正を行う。そして、その補正データは、ガンマ補正信号又はガンマ補正信号を画像信号入力部に入力された画像信号と対比した結果であるガンマ補正情報に基づいて生成されるが、ガンマ補正情報は表示パネルの個体ごとの特性を含み、しかも、最低１枚の所定の画像の画像信号をガンマ補正手段を通してデジタル的に読み出すだけで求められるので、ムラ補正をガンマ補正よりも後段で行う場合に、コストアップや製造時間の増加を抑制しつつ表示パネルの個体ごとの特性に合わせたムラ補正を行うことが可能となる。
【図面の簡単な説明】
【００１４】
【図１】発明を実施するための形態に係るムラ補正システムを示す説明図である。
【図２】図１のムラ補正システムを構成するパネル駆動回路及びムラ補正装置の詳細構成を示す説明図である。
【図３】図１のムラ補正システムの動作を時系列的に示す流れ図である。
【図４】図１のムラ補正システムのガンマ補正回路における入出力信号のスケール変換を示す説明図である。
【発明を実施するための形態】
【００１５】  本発明を実施するための形態について、図面を用いて説明する。
【００１６】  図１は、本形態に係るムラ補正システムを示す。このムラ補正システム１は、液晶パネルからなる表示パネル２に入力される画像信号を補正データに基づいて補正し、表示パネル２のムラを低減させるために、その補正データを生成するもので、表示パネル２に組み込まれてパネルモジュール３を構成するパネル駆動回路４と、ムラ補正装置５とを有する。
【００１７】  図２に示すように、パネル駆動回路４には、デジタル画像信号が入力される入力インターフェース６と、入力インターフェース６に入力された画像信号を画像処理する画像処理回路７と、パネル駆動回路４が組み込まれる表示パネル２の個体の特性に合わせて設定されたガンマテーブルを参照し、画像処理回路７で画像処理された画像処理信号を所定のガンマ特性を有するようにガンマ補正するガンマ補正回路８と、ガンマ補正回路８でガンマ補正されたガンマ補正信号を読み取り、これをガンマ補正情報として取得するガンマ補正情報取得回路９と、表示パネル２のムラを低減させる補正データが記録された補正テーブルを参照し、ガンマ補正信号に対してムラ補正を行うムラ補正回路１０と、ムラ補正回路１０でムラ補正されたムラ補正信号をＤ／Ａ変換して表示パネル２に出力するＤ／Ａコンバータ１１と、ガンマ補正情報取得回路９で取得されたガンマ補正情報を外部に出力する出力インターフェース１２とが設けられている。
【００１８】  ムラ補正装置５には、パネル駆動回路４に接続された状態で、デジタル画像信号を入力インターフェース６に出力するパターンジェネレータ１３と、出力インターフェース１２が出力するガンマ補正情報が入力されるガンマ補正情報読取部１４と、パターンジェネレータ１３、ガンマ補正情報読取部１４及び表示パネル２を撮像する個体撮像素子カメラ１５（図１参照）を統合的に制御するとともに、補正データを生成する制御部１６と、制御部１６に制御されて生成された補正データをムラ補正回路１０の補正テーブルに書き込む補正データ書込部１７とが設けられている。
【００１９】  補正データの生成時には、図３に示すように、ムラ補正装置５の制御部１６が、パターンジェネレータ１３により、パネル駆動回路４におけるガンマ補正情報を検出するための所定の画像（以下「ガンマ補正情報検出画像」という。）の８ビットのデジタル画像信号を入力インターフェース６に出力する（ステップ１（図３において「Ｓ．１」と記載。以下同様。））。
【００２０】  入力インターフェース６に入力された画像信号は、画像処理回路７でカラーマネジメント、輪郭強調等の画像処理が行われ（ステップ２，３）、８ビットの画像処理信号としてガンマ補正回路８に入力される。ガンマ補正回路８では、入力された画像処理信号に対し、ガンマテーブルを参照してガンマ補正が行われ（ステップ４）、これにより生成された１２ビットのガンマ補正信号がガンマ補正情報取得回路９に出力される。
【００２１】  ガンマ補正情報取得回路９に入力されたガンマ補正信号は、ガンマ補正情報取得回路９に読み取られてガンマ補正情報として取得され（ステップ５）、出力インターフェース１２に出力される。
【００２２】  出力インターフェース１２に入力されたガンマ補正情報は、ムラ補正装置５に出力され（ステップ６）、ガンマ補正情報読取部１４に入力されて読み取られる（ステップ７）。制御部１６は、読み取られたガンマ補正情報をガンマ補正情報検出画像の画像信号と対比して、表示パネル２の個体の特性に合わせてガンマ補正回路８のガンマテーブルに設定されているガンマ特性（具体的には、図４に示すように、ガンマ補正回路８の８ビットの入力信号はガンマ補正されて１２ビットの出力信号にスケール変換され、ここでは、そのスケール変換情報が「ガンマ特性」に該当する。）を検出する（ステップ８）。
【００２３】  次に、制御部１６は、パターンジェネレータ１３により、ムラ補正用画像（例えば、ラスタ画像）の８ビットのデジタル画像信号を入力インターフェース６に出力する（ステップ９）。
【００２４】  入力インターフェース６に入力された画像信号は、画像処理回路７で画像処理が行われ（ステップ１０，１１）、画像処理信号としてガンマ補正回路８に入力される。ガンマ補正回路８では、入力された画像処理信号に対し、ガンマテーブルを参照してガンマ補正が行われ（ステップ１２）、ムラ補正回路１０に出力される。ムラ補正回路１０では、入力されたガンマ補正信号に対し、補正テーブルを参照してムラ補正が行われ、これにより生成された１２ビットのムラ補正信号がＤ／Ａコンバータ１１に出力されるが、この時点では補正テーブルに補正データが未入力でムラ補正は事実上行われず、ムラ補正信号はガンマ補正信号と一致する（ステップ１３）。
【００２５】  Ｄ／Ａコンバータ１１では、入力されたムラ補正信号に対し、Ｄ／Ａ変換が行われ（ステップ１４）、これにより生成されたアナログ画像信号が表示パネル２に出力され、表示パネル２にガンマ補正情報検出画像が表示される（ステップ１５）。
【００２６】  続いて、制御部１６は、表示パネル２に表示されたムラ補正用画像をカメラ１５により撮像し（ステップ１６）、カメラ１５の撮像画像に基づいて、例えば特開２０１６−００４０３７号公報に記載の方法によって表示パネル２のピクセルごとの輝度を求め（ステップ１７）、この輝度と先に検出したガンマ値に基づいて、補正データを生成する（ステップ１８）。補正データは、ムラ補正用画像を階調を変えて複数回表示、撮像することにより、所定の階調ごとに求めることが望ましい。
【００２７】  そして、制御部１６は、生成した補正データを補正データ書込部１７によりムラ補正回路１０の補正テーブルに書き込み（ステップ１９）、これによりパネル駆動回路４は入力された画像信号を補正データに基づいてムラ補正することが可能となる。
【００２８】  本形態に係るムラ補正システムでは、ガンマ補正回路８でガンマ補正されたガンマ補正信号に対し、ムラ補正回路１０がムラ補正用の補正データに基づいてムラ補正を行う。そして、その補正データは、ガンマ補正信号であるガンマ補正情報に基づいて生成されるが、ガンマ補正情報は表示パネル２の個体ごとの特性を含み、しかも、最低１枚のガンマ補正情報検出画像の画像信号をガンマ補正手段を通してデジタル的に読み出すだけで求められるので、ムラ補正をガンマ補正よりも後段で行う場合に、コストアップや製造時間の増加を抑制しつつ表示パネル２の個体ごとの特性に合わせたムラ補正を行うことができる。
【００２９】  また、ガンマ補正回路８ではガンマ補正による変換後の精度を確保するために８ビットの入力信号を１２ビットで出力しているが、これにより８ビットでは最大値で表される最高輝度を１２ビットでは中間値で表すことができ、その最高輝度をさらに輝度を上げる方向にムラ補正することが可能となっている。
【００３０】  以上、本発明を実施するための形態について例示したが、本発明の実施形態は上述したものに限られず、発明の趣旨を逸脱しない範囲で適宜変更等してもよい。
【００３１】  例えば、上記形態では表示パネル２を液晶パネルとしたが、有機ＥＬパネル等でもよく、ガンマ補正情報検出画像の入力インターフェース６に入力された画像信号とガンマ補正信号との対比をムラ補正装置５で行ったが、パネル駆動回路４で行ってもかまわない。
【００３２】 さらに、ガンマ補正回路の出力は１２ビットでなくてもよく、１０ビット、１１ビット、１４ビット等の任意の情報量とすることができる。
【符号の説明】
【００３３】１      ムラ補正システム２      表示パネル４      パネル駆動回路５      ムラ補正装置６      入力インターフェース（画像信号入力部）８      ガンマ補正回路（ガンマ補正手段）９      ガンマ補正情報取得回路（ガンマ補正情報取得手段）１０    ムラ補正回路（ムラ補正手段）１１    Ｄ／Ａコンバータ（Ｄ／Ａ変換手段）１２    出力インターフェース（ガンマ補正情報出力部）１３    パターンジェネレータ（画像信号出力部）１４    ガンマ補正情報読取部（ガンマ補正情報入力部）１６    制御部（補正データ生成手段）
【図１】
2018116337.tif 000003
【図２】
2018116337.tif 000004
【図３】
2018116337.tif 000005
【図４】
2018116337.tif 000006
【手続補正書】
【提出日】平成30年2月23日(2018.2.23)
【手続補正１】
【補正対象書類名】明細書
【補正対象項目名】００１０
【補正方法】変更
【補正の内容】
【００１０】
上記課題を解決するために、本発明に係るムラ補正システムは、画像信号が入力される画像信号入力部と、前記画像信号入力部に入力された画像信号又は前記画像信号入力部に入力された画像信号を画像処理した画像処理信号を所定のガンマ特性を有するようにガンマ補正するガンマ補正手段と、前記ガンマ補正手段でガンマ補正されたガンマ補正信号を読み取り、前記ガンマ補正信号又は前記ガンマ補正信号を前記画像信号入力部に入力された画像信号と対比した結果をガンマ補正情報として取得するガンマ補正情報取得手段と、前記ガンマ補正信号に対し、表示パネルのムラを低減させる補正データに基づいてムラ補正を行うムラ補正手段と、前記ムラ補正手段でムラ補正されたムラ補正信号をＤ／Ａ変換して前記表示パネルに出力するＤ／Ａ変換手段と、前記ガンマ補正情報取得手段で取得されたガンマ補正情報を外部に出力するガンマ補正情報出力部とが設けられたパネル駆動回路と、前記パネル駆動回路に接続され、所定の画像の画像信号を原画像信号として前記画像信号入力部に出力する画像信号出力部と、前記原画像信号について前記ガンマ補正情報出力部が出力するガンマ補正情報が入力されるガンマ補正情報入力部と、前記ガンマ補正情報入力部に入力されたガンマ補正情報及び前記表示パネルに表示されたムラ補正用画像の撮像画像に基づいて前記補正データを生成する補正データ生成手段とが設けられたムラ補正装置とを備えることを特徴とする。
【手続補正２】
【補正対象書類名】明細書
【補正対象項目名】００１１
【補正方法】変更
【補正の内容】
【００１１】
本発明に係るムラ補正装置は、画像信号が入力される画像信号入力部と、前記画像信号入力部に入力された画像信号又は前記画像信号入力部に入力された画像信号を画像処理した画像処理信号を所定のガンマ特性を有するようにガンマ補正するガンマ補正手段と、前記ガンマ補正手段でガンマ補正されたガンマ補正信号を読み取り、前記ガンマ補正信号又は前記ガンマ補正信号を前記画像信号入力部に入力された画像信号と対比した結果をガンマ補正情報として取得するガンマ補正情報取得手段と、前記ガンマ補正信号に対し、表示パネルのムラを低減させる補正データに基づいてムラ補正を行うムラ補正手段と、前記ムラ補正手段でムラ補正されたムラ補正信号をＤ／Ａ変換して前記表示パネルに出力するＤ／Ａ変換手段と、前記ガンマ補正情報取得手段で取得されたガンマ補正情報を外部に出力するガンマ補正情報出力部とが設けられたパネル駆動回路に接続され、所定の画像の画像信号を原画像信号として前記画像信号入力部に出力する画像信号出力部と、前記原画像信号について前記ガンマ補正情報出力部が出力する前記ガンマ補正情報が入力されるガンマ補正情報入力部と、前記ガンマ補正情報入力部に入力されたガンマ補正情報及び前記表示パネルに表示されたムラ補正用画像の撮像画像に基づいて前記補正データを生成する補正データ生成手段とを備えることを特徴とする。
【手続補正３】
【補正対象書類名】明細書
【補正対象項目名】００１２
【補正方法】変更
【補正の内容】
【００１２】
本発明に係るパネル駆動回路は、画像信号が入力される画像信号入力部と、前記画像信号入力部に入力された画像信号又は前記画像信号入力部に入力された画像信号を画像処理した画像処理信号を所定のガンマ特性を有するようにガンマ補正するガンマ補正手段と、前記ガンマ補正手段でガンマ補正されたガンマ補正信号を読み取り、前記ガンマ補正信号又は前記ガンマ補正信号を前記画像信号入力部に入力された画像信号と対比した結果をガンマ補正情報として取得するガンマ補正情報取得手段と、前記ガンマ補正信号に対し、表示パネルのムラを低減させる補正データに基づいてムラ補正を行うムラ補正手段と、前記ムラ補正手段でムラ補正されたムラ補正信号をＤ／Ａ変換して前記表示パネルに出力するＤ／Ａ変換手段とを備え、前記補正データが、前記ガンマ補正情報及び前記表示パネルに表示されたムラ補正用画像の撮像画像に基づいて生成されることを特徴とする。
【手続補正４】
【補正対象書類名】特許請求の範囲
【補正対象項目名】全文
【補正方法】変更
【補正の内容】
【特許請求の範囲】
【請求項１】
画像信号が入力される画像信号入力部と、前記画像信号入力部に入力された画像信号又は前記画像信号入力部に入力された画像信号を画像処理した画像処理信号を所定のガンマ特性を有するようにガンマ補正するガンマ補正手段と、前記ガンマ補正手段でガンマ補正されたガンマ補正信号を読み取り、前記ガンマ補正信号又は前記ガンマ補正信号を前記画像信号入力部に入力された画像信号と対比した結果をガンマ補正情報として取得するガンマ補正情報取得手段と、前記ガンマ補正信号に対し、表示パネルのムラを低減させる補正データに基づいてムラ補正を行うムラ補正手段と、前記ムラ補正手段でムラ補正されたムラ補正信号をＤ／Ａ変換して前記表示パネルに出力するＤ／Ａ変換手段と、前記ガンマ補正情報取得手段で取得されたガンマ補正情報を外部に出力するガンマ補正情報出力部とが設けられたパネル駆動回路と、
前記パネル駆動回路に接続され、所定の画像の画像信号を原画像信号として前記画像信号入力部に出力する画像信号出力部と、前記原画像信号について前記ガンマ補正情報出力部が出力するガンマ補正情報が入力されるガンマ補正情報入力部と、前記ガンマ補正情報入力部に入力されたガンマ補正情報及び前記表示パネルに表示されたムラ補正用画像の撮像画像に基づいて前記補正データを生成する補正データ生成手段とが設けられたムラ補正装置とを備えることを特徴とするムラ補正システム。
【請求項２】
画像信号が入力される画像信号入力部と、前記画像信号入力部に入力された画像信号又は前記画像信号入力部に入力された画像信号を画像処理した画像処理信号を所定のガンマ特性を有するようにガンマ補正するガンマ補正手段と、前記ガンマ補正手段でガンマ補正されたガンマ補正信号を読み取り、前記ガンマ補正信号又は前記ガンマ補正信号を前記画像信号入力部に入力された画像信号と対比した結果をガンマ補正情報として取得するガンマ補正情報取得手段と、前記ガンマ補正信号に対し、表示パネルのムラを低減させる補正データに基づいてムラ補正を行うムラ補正手段と、前記ムラ補正手段でムラ補正されたムラ補正信号をＤ／Ａ変換して前記表示パネルに出力するＤ／Ａ変換手段と、前記ガンマ補正情報取得手段で取得されたガンマ補正情報を外部に出力するガンマ補正情報出力部とが設けられたパネル駆動回路に接続され、
所定の画像の画像信号を原画像信号として前記画像信号入力部に出力する画像信号出力部と、
前記原画像信号について前記ガンマ補正情報出力部が出力する前記ガンマ補正情報が入力されるガンマ補正情報入力部と、前記ガンマ補正情報入力部に入力されたガンマ補正情報及び前記表示パネルに表示されたムラ補正用画像の撮像画像に基づいて前記補正データを生成する補正データ生成手段とを備えることを特徴とするムラ補正装置。
【請求項３】
画像信号が入力される画像信号入力部と、
前記画像信号入力部に入力された画像信号又は前記画像信号入力部に入力された画像信号を画像処理した画像処理信号を所定のガンマ特性を有するようにガンマ補正するガンマ補正手段と、
前記ガンマ補正手段でガンマ補正されたガンマ補正信号を読み取り、前記ガンマ補正信号又は前記ガンマ補正信号を前記画像信号入力部に入力された画像信号と対比した結果をガンマ補正情報として取得するガンマ補正情報取得手段と、
前記ガンマ補正信号に対し、表示パネルのムラを低減させる補正データに基づいてムラ補正を行うムラ補正手段と、
前記ムラ補正手段でムラ補正されたムラ補正信号をＤ／Ａ変換して前記表示パネルに出力するＤ／Ａ変換手段とを備え、
前記補正データが、前記ガンマ補正情報及び前記表示パネルに表示されたムラ補正用画像の撮像画像に基づいて生成されることを特徴とするパネル駆動回路。
【手続補正書】
【提出日】平成30年8月3日(2018.8.3)
【手続補正１】
【補正対象書類名】明細書
【補正対象項目名】００２５
【補正方法】変更
【補正の内容】
【００２５】
Ｄ／Ａコンバータ１１では、入力されたムラ補正信号に対し、Ｄ／Ａ変換が行われ（ステップ１４）、これにより生成されたアナログ画像信号が表示パネル２に出力され、表示パネル２にムラ補正用画像が表示される（ステップ１５）。
【国際調査報告】
2018116337.tif 000007
2018116337.tif 000008
2018116337.tif 000009